(57)【要約】  この貨物コンテナは、コーナーポストを平断面視した場合に、第１接続部（４１）と、第２接続部（４２）と、第１突出面部（４３）と、第２突出面部（４４）と、第１側面部（４５）と、第２側面部（４６）と、先端角部（４０）と、で形成される略Ω形状を有し、第１接続部（４１）と第１突出面部（４３）とが連続する第１角部（４０Ｃ）から第２側面部（４６）までの幅寸法と、第２接続部（４２）と第２突出面部（４４）とが連続する第２角部（４０Ｄ）から第１側面部（４５）までの幅寸法とのうち、最小の幅寸法ｂ０と、コーナーポストの厚みｔと、コーナーポストの材料降伏強度Ｆとの関係が、ｂ０＞７４０ｔ／（√Ｆ）を満足し、かつ、第１側面部（４５）の幅寸法と、第２側面部（４６）との幅寸法のうち、最大の幅寸法ｂと、コーナーポストの厚みｔと、コーナーポストの材料降伏強度Ｆとの関係が、ｂ≦７４０ｔ／（√Ｆ）を満足する。
2011030852.tif 000002
【特許請求の範囲】
【請求項１】
矩形状の底パレットと；
この底パレットの４辺に立設された一対の側面パネルおよび一対の前後パネルと；
前記底パレットの隅部に立設され、前記側面パネルの側縁部と前記前後パネルの側縁部との間を接続する複数本のコーナーポストと；
これらのコーナーポストの上端および下端に設けられたコーナーフィッティングと；
前記側面パネルおよび前記前後パネルの上縁部に接続して設けられた天面パネルと；
を備えた貨物用コンテナであって、
前記コーナーポストを平断面視した場合に、
前記側面パネルの側縁部に接続される第１接続部と；
前記前後パネルの側縁部に接続される第２接続部と；
前記第１接続部に連続して、かつ、前記側面パネルの面方向に交差する外方向に突出する第１突出面部と；
前記第２接続部に連続して、かつ、前記前後パネルの面方向に交差する外方向に突出する第２突出面部と；
前記第１突出面部に直接的または間接的に設けられ、前記側面パネルの面方向に延びる第１側面部と；
前記第２突出面部に直接的または間接的に設けられ、前記前後パネルの面方向に延びる第２側面部と；
前記第１側面部および前記第２側面部に連続的に設けられた先端角部と；
で形成される略Ω形状を有し、
前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、
前記第１側面部と、前記第２側面部との幅寸法のうち、少なくとも最大の幅寸法ｂと、前記コーナーポストの厚みｔと、コーナーポストの材料降伏強度Ｆとの関係が、ｂ≦７４０ｔ／（√Ｆ）を満足する
ことを特徴とする貨物用コンテナ。
【請求項２】
前記先端角部に、前記第１側面部および前記第２側面部の双方に交差して連続する傾斜側面部が設けられ；
前記傾斜側面部、前記第１側面部および前記第２側面部の幅寸法のうち、少なくとも最大の幅寸法ｂと、前記コーナーポストの厚みｔと、コーナーポストの材料降伏強度Ｆとの関係が、ｂ≦７４０ｔ／（√Ｆ）を満足する；
ことを特徴とする請求項１に記載の貨物用コンテナ。
【請求項３】
前記傾斜側面部の形状に沿って前記コーナーフィッティングの角部に面取り部が形成されていることを特徴とする請求項２に記載の貨物用コンテナ。
【請求項４】
前記先端角部に、外方に向かう凸曲面で形成される先端凸状曲面部、または内方に向かう凹曲面で形成される先端凹状曲面部が設けられていることを特徴とする請求項１に記載の貨物用コンテナ。
【請求項５】
前記先端凸状曲面部または先端凹状曲面部の形状に沿って前記コーナーフィッティングの角部に面取り部が形成されていることを特徴とする請求項４に記載の貨物用コンテナ。
【請求項６】
前記第１突出面部と第１側面部とが連続する第３角部と、前記第２突出面部と第２側面部とが連続する第４角部とのうち、少なくとも一方の角部に、
この角部を傾斜面で面取りした傾斜面取り部、前記角部を外方に向かう凸曲面で面取りした凸状面取り部、および前記角部を内方に向かう凹曲面で面取りした凹状面取り部のうちのいずれか１つが形成されている
ことを特徴とする請求項１から請求項５のいずれか１項に記載の貨物用コンテナ。
【請求項７】
前記傾斜面取り部、前記凸状面取り部または前記凹状面取り部の形状に沿って、前記コーナーフィッティングの角部に面取り部が形成されていることを特徴とする請求項６に記載の貨物用コンテナ。
【請求項８】
前記第１突出面部が、前記第１接続部から外方かつ前記先端部に向かって傾斜して突出する傾斜第１突出面部とされ；
前記第２突出面部が、前記第２接続部から外方かつ前記先端部に向かって傾斜して突出する傾斜第２突出面部とされている；
ことを特徴とする請求項１に記載の貨物用コンテナ。
【請求項９】
前記傾斜第１突出面部および傾斜第２突出面部の形状に沿って前記コーナーフィッティングの角部に面取り部が形成されていることを特徴とする請求項８に記載の貨物用コンテナ。
【請求項１０】
前記第１側面部および第２側面部に、各々の中間位置にて内方に向かう凹曲面または内方に向かう屈折面で形成される中間屈曲部が設けられていることを特徴とする請求項１に記載の貨物用コンテナ。
【発明の詳細な説明】
【技術分野】
【０００１】
本発明は、積み込んだ貨物を海上輸送および陸上輸送するための貨物用コンテナに関する。
本願は、２００９年０９月１１日に、日本に出願された特願２００９−２１０１８０号に基づき優先権を主張し、その内容をここに援用する。
【背景技術】
【０００２】
貨物を輸送する貨物用コンテナは、主に鋼、ステンレス、アルミニウム等の金属製の部材からなり、直方体状の箱体で構成されている。また、この貨物用コンテナは、内部に貨物を積み込み、例えば船舶、トラック、鉄道等の輸送手段を介して輸送される。特に近年においては、日本国内のみならず、世界各国間のグローバルな物流を効率化する観点から、貨物用コンテナの耐荷性能、全体寸法、輸送機器との連結部分の形状などがＩＳＯ等の国際規格に基づき全世界でほぼ共通化されている。貨物用コンテナを一定のルールのもと規格化し共通化を図ることにより、輸送時の互換性や利便性が確保されている。
ところで、近年では、地球環境保護の観点から、物流の分野においても温室効果ガスの排出量削減の動きが高まりつつあり、貨物を運搬する船舶、トラック、鉄道等の移動手段に対して軽量化が進められつつある。貨物用コンテナは、これら移動手段により輸送されるので、コンテナ自体の軽量化を図ることにより、移動手段を含めた全体の軽量化に繋がり、地球環境保護を図る上でより好ましい。このような背景のもと、貨物用コンテナにおいても軽量化の要請が高まりつつあるが、ここでは、ＩＳＯに規定される特に耐荷性能を確保しつつ、軽量化を図ることが必要となる。【０００３】
また、貨物用コンテナの形態としては、矩形状の底パレットと；この底パレットの４辺に立設された一対の側面パネルおよび一対の前後パネルと；前記底パレットの隅部に立設され、前記側面パネルの側縁部と前記前後パネルの側縁部との間を接続する複数本のコーナーポストと；これらのコーナーポストの上端および下端に設けられたコーナーフィッティングと；前記側面パネルおよび前記前後パネルの上縁部に接続して設けられた天面パネルと；を備えた貨物用コンテナが一般的である。このような貨物用コンテナでは、コーナーポストの断面形状を、極力コーナーフィッティングの断面形状に合わせるとともに、そのコーナーポストの断面積を大きくとることにより、貨物用コンテナ同士を段積みした際の圧縮荷重に対する部材耐力を確保し、段積みに対する要求性能を満足するように設計されている。
【先行技術文献】
【特許文献】
【０００４】
【特許文献１】特表２００５−５３６４１３号公報
【発明の概要】
【発明が解決しようとする課題】
【０００５】
しかしながら、従来の貨物用コンテナによれば、コーナーポストの断面積を大きくとらなければならないので、その分の重量が増加してしまう。すなわち、圧縮荷重に対する部材耐力の向上を図るためには、コーナーポストの断面積を大きくとらなければないが、その分重量が増大し、軽量化の要求に応えることができないという問題がある。【０００６】
本発明の目的は、コーナーポスト、ひいては貨物用コンテナ全体の軽量化を図りつつ、部材耐力を確保して段積み性能を向上させることが可能な貨物用コンテナを提供する。
【課題を解決するための手段】
【０００７】
（１）本発明の一態様に係る貨物用コンテナは、矩形状の底パレットと；この底パレットの４辺に立設された一対の側面パネルおよび一対の前後パネルと；前記底パレットの隅部に立設され、前記側面パネルの側縁部と前記前後パネルの側縁部との間を接続する複数本のコーナーポストと；これらのコーナーポストの上端および下端に設けられたコーナーフィッティングと；前記側面パネルおよび前記前後パネルの上縁部に接続して設けられた天面パネルと；を備えた貨物用コンテナであって、前記コーナーポストを平断面視した場合に、前記側面パネルの側縁部に接続される第１接続部と；前記前後パネルの側縁部に接続される第２接続部と；前記第１接続部に連続して、かつ、前記側面パネルの面方向に交差する外方向に突出する第１突出面部と；前記第２接続部に連続して、かつ、前記前後パネルの面方向に交差する外方向に突出する第２突出面部と；前記第１突出面部に直接的または間接的に設けられ、前記側面パネルの面方向に延びる第１側面部と；前記第２突出面部に直接的または間接的に設けられ、前記前後パネルの面方向に延びる第２側面部と；前記第１側面部および前記第２側面部に連続的に設けられた先端角部と；で形成される略Ω形状を有し、前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、前記第１側面部と、前記第２側面部との幅寸法うち、少なくとも最大の幅寸法ｂと、前記コーナーポストの厚みｔと、コーナーポストの材料降伏強度Ｆとの関係が、ｂ≦７４０ｔ／（√Ｆ）を満足する。【０００８】
（２）上記（１）に記載の貨物コンテナによれば、前記先端角部に、前記第１側面部および前記第２側面部の双方に交差して連続する傾斜側面部が設けられ；前記傾斜側面部、前記第１側面部および前記第２側面部の幅寸法のうち、少なくとも最大の幅寸法ｂと、前記コーナーポストの厚みｔと、コーナーポストの材料降伏強度Ｆとの関係が、ｂ≦７４０ｔ／（√Ｆ）を満足することが好ましい。【０００９】
（３）上記（２）に記載の貨物コンテナによれば、前記傾斜側面部の形状に沿って前記コーナーフィッティングの角部に面取り部が形成されていることが好ましい。【００１０】
（４）上記（１）に記載の貨物コンテナによれば、前記先端角部に、外方に向かう凸曲面で形成される先端凸状曲面部、または内方に向かう凹曲面で形成される先端凹状曲面部が設けられていることが好ましい。
（５）上記（４）に記載の貨物コンテナによれば、前記先端凸状曲面部または先端凹状曲面部の形状に沿って前記コーナーフィッティングの角部に面取り部が形成されていることが好ましい。【００１１】
（６）上記（１）から（５）のいずれか１項に記載の貨物コンテナによれば、前記第１突出面部と第１側面部とが連続する第３角部と、前記第２突出面部と第２側面部とが連続する第４角部とのうち、少なくとも一方の角部に、この角部を傾斜面で面取りした傾斜面取り部、前記角部を外方に向かう凸曲面で面取りした凸状面取り部、および前記角部を内方に向かう凹曲面で面取りした凹状面取り部のうちのいずれか１つが形成されていることが好ましい。
（７）上記（６）に記載の貨物コンテナによれば、前記傾斜面取り部、前記凸状面取り部または前記凹状面取り部の形状に沿って、前記コーナーフィッティングの角部に面取り部が形成されていることが好ましい。【００１２】
（８）上記（１）に記載の貨物コンテナによれば、前記第１突出面部が、前記第１接続部から外方かつ前記先端部に向かって傾斜して突出する傾斜第１突出面部とされ；前記第２突出面部が、前記第２接続部から外方かつ前記先端部に向かって傾斜して突出する傾斜第２突出面部とされている；ことが好ましい。
（９）上記（８）に記載の貨物コンテナによれば、前記傾斜第１突出面部および傾斜第２突出面部の形状に沿って前記コーナーフィッティングの角部に面取り部が形成されていることが好ましい。【００１３】
（１０）上記（１）に記載の貨物コンテナによれば、前記第１側面部および第２側面部に、各々の中間位置にて内方に向かう凹曲面または内方に向かう屈折面で形成される中間屈曲部が設けられていることが好ましい。
【発明の効果】
【００１４】
上記（１）に記載の貨物コンテナによれば、コーナーポストの材料強度を強くし、コーナーポストの厚みを薄くすることにより、コーナーポストの幅寸法ｂ０が７４０ｔ／（√Ｆ）より大きくなり、板要素の座屈が懸念されるコーナーポストにおいても、各面部の幅寸法ｂを７４０ｔ／（√Ｆ）以下となるように設定することで板要素の座屈を抑え、圧縮荷重に対する部材耐力を確保しつつ断面積を小さくすることができる。この結果、コーナーポスト自体の軽量化を図ることが可能となる。ｂe＝７４０ｔ／（√Ｆ）は面内圧縮力を受ける板要素の有効幅ｂeを表す式であり、ｂ≦ｂeであれば、圧縮力に対して板要素に局部座屈に伴う無効部分が生じず、断面の有効率を低下させることなく、効率的に軽量化を図ることが可能となる。
コーナーポストの厚みを薄くすることにより、コーナーポスト自体の軽量化を図ることが可能となり、貨物用コンテナ全体の軽量化にもつながり、温室効果ガスの排出量を削減することができ、ひいては地球環境保護の観点からも好適な構成とすることが可能となる。さらに、コーナーポストの断面積を小さくすることにより材料コストの低減にも寄与し、さらに表面積も小さくなるために塗装にかかるコストの低減にも寄与することになる。【００１５】
ところで、コーナーポストの断面積を小さくする場合、コーナーポストの厚みを一定として上記幅寸法ｂ０を小さくすることが考えられるが、このようにコーナーポスト自体の幅寸法ｂ０を小さくしてしまうと、コーナーポストと、コーナーフィッティングとの接合部や各側面、前後パネルとの収まりが変わってしまったり、国際規格の外形サイズから外れて輸送時の互換性や利便性が損なわれたりするなどの不都合が生じる。
一方、コーナーポスト自体の外形をさほど変更せずに断面積を小さくする手段として、コーナーポストの厚みを小さくした場合には、コーナーポストの各面部の幅寸法ｂに対して厚みｔが小さくなる、つまり幅厚比（ｂ／ｔ）が大きくなる。これにより、局部座屈の問題が生じ、段積み時の圧縮荷重に対する性能が満足できないという問題が生じる。
そこで、コーナーポストにおける第１側面部および第２側面部の幅寸法うち、少なくとも最大の幅寸法ｂと、コーナーポストの厚みｔと、材料降伏強度Ｆとの関係が、ｂ≦７４０ｔ／（√Ｆ）（以下、式（１）と呼ぶ）の関係を満足するように、厚みｔおよび面部の幅寸法ｂを設定する。これにより、局部座屈を防止することができ、段積み時の圧縮荷重に対する要求性能を満足することができる。【００１６】
上記（２）に記載の貨物コンテナによれば、先端角部に第１側面部および第２側面部の双方に交差して連続する傾斜側面部を設けることで、この傾斜側面部の投影寸法分だけ上記（１）に記載の貨物コンテナに比べて第１側面部および第２側面部の幅寸法ｂを小さくできる。これにより第１側面部および第２側面部の幅厚比（ｂ／ｔ）を小さくすることができる。そして、傾斜側面部においても、前記式（１）の関係を満足するように、コーナーポストの厚みｔおよび各面部の幅寸法ｂを設定することで、局部座屈を防止することができ、コーナーポスト全体の圧縮荷重に対する要求性能が確保できる。【００１７】
上記（３）に記載の貨物コンテナによれば、コーナーフィッティングに面取り部が形成されているため、コーナーポストの断面積が小さくなる。これにより、コーナーフィッティング自体も軽量化でき、貨物用コンテナ全体の軽量化を促進させることができる。【００１８】
上記（４）に記載の貨物コンテナによれば、先端角部に先端凸状曲面部または先端凹状曲面部を設けることで、第１側面部および第２側面部の幅寸法ｂを小さくすることができる。これにより、第１側面部および第２側面部の幅厚比（ｂ／ｔ）の増大を抑制し、局部座屈を防止することができ、コーナーポスト全体の圧縮荷重に対する要求性能が確保できる。
上記（５）に記載の貨物コンテナによれば、コーナーフィッティングに面取り部が形成されているため、コーナーフィッティングの断面積が小さくなる。これにより、コーナーフィッティング自体も軽量化でき、貨物用コンテナ全体の軽量化を促進させることができる。【００１９】
上記（６）に記載の貨物コンテナによれば、先端角部以外の角部である第３角部や第４角部において、傾斜面取り部や凸状面取り部、凹状面取り部を設けることで、第１側面部および第２側面部の幅寸法ｂを小さくすることができる。これにより、第１側面部および第２側面部の幅厚比（ｂ／ｔ）をさらに抑制することができる。ここで、傾斜面取り部としては、その厚みおよび面部の幅寸法と材料降伏強度との関係が前記式（１）を満足することは当然である。
上記（７）に記載の貨物コンテナによれば、コーナーフィッティングに面取り部が形成されているため、コーナーフィッティングの断面積が小さくなる。これにより、コーナーフィッティング自体も軽量化でき、貨物用コンテナ全体の軽量化を促進させることができる。【００２０】
上記（８）に記載の貨物コンテナによれば、第１突出面部および第２突出面部をそれぞれ傾斜第１突出面部および傾斜第２突出面部とすることで、これらの傾斜分だけ第１側面部および第２側面部の幅寸法ｂを小さくできる。これによっても第１側面部および第２側面部の幅厚比（ｂ／ｔ）を小さくできる。この場合においても、傾斜第１突出面部および傾斜第２突出面部の厚みｔおよび幅寸法ｂと材料降伏強度Ｆとの関係が前記式（１）を満足する。
上記（９）に記載の貨物コンテナによれば、コーナーフィッティングに面取り部が形成されているため、コーナーフィッティングの断面積が小さくなる。これにより、コーナーフィッティング自体も軽量化でき、貨物用コンテナ全体の軽量化を促進させることができる。【００２１】
上記（１０）に記載の貨物コンテナによれば、中間屈曲部によって第１側面部および第２側面部を左右に分割することで、分割された各側面部の幅寸法ｂを小さくできる。これによっても第１側面部および第２側面部の幅厚比（ｂ／ｔ）が小さくなるので、局部座屈強度を高めることができる。
【図面の簡単な説明】
【００２２】
【図１】本発明の一実施形態の貨物用コンテナの斜視図である。
【図２】同貨物用コンテナのコーナーポストならびにコーナーフィッティングの拡大断面図である。
【図３】コーナーポストの変形例を示す拡大断面図である。
【図４】コーナーポストの他の変形例を示す拡大断面図である。
【図５】コーナーポストの他の変形例を示す拡大断面図である。
【図６】コーナーポストの他の変形例を示す拡大断面図である。
【図７】コーナーポストの他の変形例を示す拡大断面図である。
【図８】コーナーポストの他の変形例を示す拡大断面図である。
【図９】コーナーフィッティングの変形例を示す拡大断面図である。
【図１０】従来のコーナーポストを示す拡大断面図である。
【図１１】本発明の実施例に係るＦＥＭ解析結果を示す図である。
【図１２】本発明の比較例に係るＦＥＭ解析結果を示す図である。
【図１３】前記実施例と比較例における解析結果の荷重−変形関係のグラフである。
【発明を実施するための形態】
【００２３】
以下、本発明の一実施形態を図面に基づいて説明する。
本発明を適用した貨物用コンテナ１は、図１に示すように、箱体で構成され、貨物を積み込むことが可能である。また、貨物コンテナ１は、鋼、ステンレス、アルミニウム等の金属製で構成される。貨物用コンテナ１は、例えば船舶、トラック、鉄道等の輸送手段を介して輸送されることを前提としているため、輸送時の互換性や利便性を向上させる観点から、例えばＩＳＯ等の規格に基づいた仕様とされている。
【００２４】
貨物用コンテナ１は、図示しない矩形状の底パレットと、この底パレットの４辺に立設された一対の側面パネル２および一対の前後パネル３と；底パレットの隅部に立設され、側面パネル２の側縁部と前後パネル３の側縁部との間を接続する複数本のコーナーポスト４と；これらのコーナーポスト４の上端および下端に設けられたコーナーフィッティング５と；側面パネル２および前後パネル３の上縁部に接続して設けられた天面パネル６と；を備えて構成されている。
【００２５】
側面パネル２および前後パネル３は、各々が底パレット上に設置され、隣接するパネル２，３同士が、コーナーポスト４を介して相互に接続される。隣接する側面パネル２と前後パネル３とは、互いに略直交する関係にある。また、側面パネル２、前後パネル３および天面パネル６は、例えば、厚みが１ｍｍ〜２ｍｍ程度の比較的薄い鋼板からなる波形鋼板で構成されている。貨物用コンテナ１の側面、前後面、天面のいずれかの面には、図示しない開閉ドアが設けられ、ここからコンテナ内に貨物が積み込まれる。例えば、前後面のいずれかに開閉ドアが設けられる場合には、ドアに隣接するコーナーポストが、本一実施形態のコーナーポスト４とは別の形状の溝形鋼等で形成される場合もある。このような場合には、前後面のいれずかにのみ後述するコーナーポスト４を適用することもできる。すなわち、後述するコーナーポスト４はコンテナの四隅全てでなく、四隅のうち任意の部分にのみに適用することもできる。
【００２６】
次に、本一実施形態を適用した貨物用コンテナ１に適用されるコーナーポスト４の構成について図２〜図８に基づいて説明する。ここで、図２は、代表形態のコーナーポスト４を示す断面図であり、図３〜図８は、変形例に係るコーナーポスト４を示す断面図である。
図２〜図８のいずれの場合においても、コーナーポスト４は、耐候性鋼からなり、例えば厚みｔが３ｍｍ〜５ｍｍ程度の鋼板を折り曲げ加工することで形成されている。鋼板には、材料降伏強度Ｆが５５０ＭＰａ〜７００ＭＰａ程度である鋼材が用いられている。
【００２７】
図２に示すように、コーナーポスト４を平断面視した場合に、側面パネル２の側縁部に接続される第１接続部４１と；前後パネル３の側縁部に接続される第２接続部４２と；第１接続部４１に連続して、かつ、側面パネル２の面方向に交差する外方向（図中、Ｘ方向左向き）に突出する第１突出面部４３と；第２接続部４２に連続して、かつ、前後パネル３の面方向に交差する外方向（図中、Ｙ方向下向き）に突出する第２突出面部４４と；第１突出面部４３に直接的に設けられ、側面パネル２の面方向に延びる第１側面部４５と；第２突出面部４４に直接的に設けられ、前後パネル３の面方向に延びる第２側面部４６と；第１側面部４５および第２側面部４６に連続的に設けられた先端角部４０と；で形成される略Ω形状を有している。
【００２８】
具体的には、第１接続部４１は、側面パネル２の面方向（図中、Ｙ方向：貨物用コンテナ１の長手方向）に平行に設けられて側面パネル２に接続されている。第２接続部４２は、前後パネル３の面方向（図中、Ｘ方向：貨物用コンテナ１の幅方向）に平行に設けられて前後パネル３に接続されている。
また、本実施形態では、先端角部４０に、第１側面部４５と第２側面部４６との双方に交差して連続する傾斜側面部４７が形成されている。この傾斜側面部４７は、先端角部４０が面取りされて形成されている（図２の下側かつ左側）。
【００２９】
第１接続部４１が、側面パネル２の縁部と溶接接合され、第２接続部４２が、前後パネル３の縁部と溶接接合される。第１突出面部４３、第２突出面部４４、第１側面部４５、第２側面部４６および傾斜側面部４７の上下端縁が、それぞれ上下のコーナーフィッティング５と溶接接合される。このようなコーナーポスト４には、貨物用コンテナ１を上下に段積みしたとき、上下の貨物用コンテナ１のコーナーフィッティング５が相互に当接されることになる。その結果、上に積み上げられた貨物用コンテナ１の荷重が、各々のコーナーフィッティング５を介して、下側の貨物用コンテナ１のコーナーポスト４に伝達されることになる。コーナーフィッティング５には、鋳物製のボックス状の基体に対して側面から横穴が設けられ、さらに上面からは上穴（または下面からは下穴）が設けられている。これら横穴や上穴（または下穴）には、それぞれクレーンなどによる吊り上げや運搬の際の取り付け機器が装着可能となっている。また、上に積み上げられる貨物用コンテナ１において、コーナーフィッティング５の互いの当接面同士が当接される。
【００３０】
次に、コーナーポスト４の幅寸法ｂ０として、先ず、コーナーポスト４のＸ方向の幅寸法ｂｘ０は、第２接続部４２と第２突出面部４４とが連続する第２角部４０Ｄから第１側面部４５までの第１側面部４５に対する鉛直方向の幅寸法である。言い換えると、第２接続部４２を除いた寸法、すなわち第２接続部４２と第２突出面部４４とが連続する第２角部４０Ｄと第１側面部４５の距離で設定される。
また、Ｙ方向の幅寸法ｂｙ０は、第１接続部４１と第１突出面部４３とが連続する第１角部４０Ｃから第２側面部４６までの第２側面部４６に対する鉛直方向の幅寸法である。言い換えると、第１接続部４１を除いた寸法、すなわち第１接続部４１と第１突出面部４３とが連続する第１角部４０Ｃと第２側面部４６の距離で設定される。すなわち、幅寸法ｂｘ０，ｂｙ０は、それぞれコーナーフィッティング５に接合される部分の寸法である。以下、幅寸法をフィッティング部幅寸法と称する。このようなフィッティング部幅寸法ｂｘ０，ｂｙ０としては、国際規格に基づくコーナーフィッティング５の寸法により規定され、例えば、板厚中心寸法で表し、コーナーポストの厚み（板厚）が６ｍｍで、フィッティング部幅寸法ｂｘ０が約１４９ｍｍ、フィッティング部幅寸法ｂｙ０が約１６８ｍｍとなっている。
また、第１側面部４５の幅寸法ｂｙ１は、フィッティング部幅寸法ｂｙ０から傾斜側面部４７の投影分の幅寸法ｂｙ２を差し引いた寸法である。一方、第２側面部４６の幅寸法ｂｘ１は、フィッティング部幅寸法ｂｘ０から傾斜側面部４７の投影分の幅寸法ｂｘ２を差し引いた寸法である。
【００３１】
ここで、各幅寸法ｂｘ０，ｂｙ０の設定の一例として、材料降伏強度Ｆが７００ＭＰａであり、コーナーポスト４の厚みｔが３．６ｍｍである場合、Ｘ方向のフィッティング部幅寸法ｂｘ０が約１４９ｍｍであり、Ｙ方向のフィッティング部幅寸法ｂｙ０が約１６８ｍｍであり、これらのフィッティング部幅寸法ｂ０（ｂｘ０，ｂｙ０）は、以下の式（０）の関係を満たす。
ｂ０＞７４０ｔ／（√Ｆ）  …（０）
また、第１側面部４５の幅寸法ｂｙ１が１００ｍｍで、傾斜側面部４７の投影分の幅寸法ｂｙ２が６８ｍｍに設定され、第２側面部４６の幅寸法ｂｘ１が１００ｍｍで、傾斜側面部４７の投影分の幅寸法ｂｘ２が４９ｍｍに設定されている。従って、傾斜側面部４７の幅寸法ｂｘｙは、約８３．８ｍｍに設定されている。このような面部の幅寸法ｂ（ｂｘ１，ｂｙ１，ｂｘｙ）のうち最大の幅寸法ｂと、コーナーポスト４の厚みｔと、コーナーポスト４の材料降伏強度Ｆとの関係は、以下の式（１）を満足する。
ｂ≦７４０ｔ／（√Ｆ）  …（１）
従って、材料降伏強度Ｆが７００ＭＰａであり、厚みｔが３．６ｍｍである場合、幅寸法ｂ（ｂｘ１，ｂｙ１，ｂｘｙ）としては、式（１）の右辺の計算値である１００．７ｍｍ以下であればよい。ここで、前記一例の第１側面部４５の幅寸法ｂｙ１および第２側面部４６の幅寸法ｂｘ１、傾斜側面部４７の幅寸法ｂｘｙは、いずれも１００．７ｍｍ以下であり、式（１）を満足する。
【００３２】
次に、図３において、コーナーポスト４Ａは、前述したコーナーポスト４と略同様の第１接続部４１と、第２接続部４２と、第１突出面部４３と、第２突出面部４４と、第１側面部４５と、第２側面部４６と、傾斜側面部４７とを有している。コーナーポスト４Ａの平断面形状は、略Ω状に形成されており、第１突出面部４３と第１側面部４５とが連続する第３角部４０Ａには、第１突出面部４３および第１側面部４５に対して傾斜し面取りした傾斜面取り部４８が形成されている。すなわち、第１側面部４５は、第１突出面部４３に間接的に設けられている。
また、第２突出面部４４と第２側面部４６とが連続する第４角部４０Ｂには、第２突出面部４４および第２側面部４６に対して傾斜し面取りした傾斜面取り部４９が形成されている。すなわち、第２側面部４６は、第２突出面部４４に間接的に設けられている。このコーナーポスト４Ａでは、傾斜側面部４７の幅寸法ｂｘｙＡが、図２に示したコーナーポスト４よりも小さくなる。また、傾斜面取り部４８を形成したことによって第１側面部４５の幅寸法ｂｙ１Ａは、図２で示した第１側面部４５の幅寸法ｂｙ１より小さい。さらに、傾斜面取り部４９を形成したことによって第２側面部４６の幅寸法ｂｘ１Ａは、図２で示した第２側面部４６の幅寸法ｂｘ１より小さい。すなわち、コーナーポスト４Ａにおいても、第１側面部４５の幅寸法ｂｙ１Ａおよび第２側面部４６の幅寸法ｂｘ１Ａ、傾斜側面部４７の幅寸法ｂｘｙＡは、いずれも式（１）を満足する。
【００３３】
次に、図４において、コーナーポスト４Ｂは、前述したコーナーポスト４と略同様の第１接続部４１と、第２接続部４２と、第１突出面部４３と、第２突出面部４４と、第１側面部４５と、第２側面部４６とを有して平断面が略Ω形状である。前記傾斜側面部４７に替えて先端角部４０に外方に凸な曲面で形成される先端凸状曲面部５０が形成され、第３角部４０Ａに外方に凸な曲面で面取りした凸状面取り部５１が形成され、第４角部４０Ｂに外方に凸な曲面で面取りした凸状面取り部５２が形成されている。すなわち、第１側面部４５は、第１突出面部４３に間接的に設けられており、第２側面部４６は、第２突出面部４４に間接的に設けられている。
このコーナーポスト４Ｂでは、先端凸状曲面部５０および凸状面取り部５１，５２を形成したことによって、第１側面部４５の幅寸法ｂｙ１Ｂは、図２で示した第１側面部４５の幅寸法ｂｙ１より小さく、第２側面部４６の幅寸法ｂｘ１Ｂは、図２で示した第２側面部４６の幅寸法ｂｘ１より小さい。すなわち、コーナーポスト４Ｂにおいても、第１側面部４５の幅寸法ｂｙ１Ｂおよび第２側面部４６の幅寸法ｂｘ１Ｂは、いずれも式（１）を満足する。
【００３４】
次に、図５において、コーナーポスト４Ｃは、前述したコーナーポスト４と略同様の第１接続部４１と、第２接続部４２と、第１突出面部４３と、第２突出面部４４と、第１側面部４５と、第２側面部４６とを有しており、平断面が略Ω形状である。前記傾斜側面部４７や先端凸状曲面部５０に替えて先端角部４０に内方に凹な曲面で形成される先端凹状曲面部５３が形成され、第３角部４０Ａに内方に凹な曲面で面取りした凹状面取り部５４が形成され、第４角部４０Ｂに内方に凹な曲面で面取りした凹状面取り部５５が形成されている。すなわち、第１側面部４５は、第１突出面部４３に間接的に設けられており、第２側面部４６は、第２突出面部４４に間接的に設けられている。
このコーナーポスト４Ｃでは、先端凹状曲面部５３および凹状面取り部５４，５５を形成したことによって、第１側面部４５の幅寸法ｂｙ１Ｃは、図２で示した第１側面部４５の幅寸法ｂｙ１より小さく、第２側面部４６の幅寸法ｂｘ１Ｃは、図２で示した第２側面部４６の幅寸法ｂｘ１より小さい。すなわち、コーナーポスト４Ｃにおいても、第１側面部４５の幅寸法ｂｙ１Ｃおよび第２側面部４６の幅寸法ｂｘ１Ｃは、いずれも式（１）を満足する。
【００３５】
次に、図６において、コーナーポスト４Ｄは、前述したコーナーポスト４と略同様の第１接続部４１と、第２接続部４２と、第１突出面部４３と、第２突出面部４４と、第１側面部４５と、第２側面部４６と、傾斜側面部４７とを有しており、平断面が略Ω形状である。第３角部４０Ａに凸状面取り部５１が形成され、第４角部４０Ｂに凸状面取り部５２が形成されている。すなわち、第１側面部４５は、第１突出面部４３に間接的に設けられており、第２側面部４６は、第２突出面部４４に間接的に設けられている。
このコーナーポスト４Ｄにおいても、第１側面部４５の幅寸法ｂｙ１Ｄ、第２側面部４６の幅寸法ｂｘ１Ｄおよび傾斜側面部４７の幅寸法ｂｘｙＤは、いずれも式（１）を満足する。
【００３６】
次に、図７において、コーナーポスト４Ｅは、前述したコーナーポスト４と略同様の第１接続部４１と、第２接続部４２と、第１突出面部４３と、第２突出面部４４と、第１側面部４５と、第２側面部４６と、傾斜側面部４７とを有しており、平断面が略Ω形状である。第１突出面部４３は、第１接続部４１から外方かつ先端角部４０に向かって傾斜して突出する傾斜第１突出面部４３Ａとされる。すなわち、図２に示したコーナーポスト４では、第１突出面部４３と第１側面部４５とのなす角は略９０度であったが、図７に示すコーナーポスト４Ｅでは、第１突出面部４３Ａと第１側面部４５とのなす角α１は、９０度を超えている。第２突出面部４４は、第２接続部４２から外方かつ先端角部４０に向かって傾斜して突出する傾斜第２突出面部４４Ａとされている。すなわち、図２に示したコーナーポスト４では、第２突出面部４４と第２側面部４６とのなす角は略９０度であったが、図７に示すコーナーポスト４Ｅでは、第２突出面部４４Ａと第２側面部４６とのなす角α２は、９０度を超えている。このコーナーポスト４Ｅでは、傾斜側面部４７、傾斜第１突出面部４３Ａおよび傾斜第２突出面部４４Ａを形成したことによって、第１側面部４５の幅寸法ｂｙ１Ｅは、図２で示した第１側面部４５の幅寸法ｂｙ１より小さく、第２側面部４６の幅寸法ｂｘ１Ｅは、図２で示した第２側面部４６の幅寸法ｂｘ１より小さい。すなわち、コーナーポスト４Ｅにおいても、第１側面部４５の幅寸法ｂｙ１Ｅ、第２側面部４６の幅寸法ｂｘ１Ｅおよび傾斜側面部４７の幅寸法ｂｘｙＥは、いずれも式（１）を満足する。さらに、傾斜第１突出面部４３Ａの幅寸法ｂｘ３および傾斜第２突出面部４４Ａの幅寸法ｂｙ３も式（１）を満足する。
【００３７】
次に、図８において、コーナーポスト４Ｆは、前述したコーナーポスト４と略同様の第１接続部４１と、第２接続部４２と、第１突出面部４３と、第２突出面部４４と、第１側面部４５と、第２側面部４６とを有しており、平断面が略Ω形状である。前記傾斜側面部４７が省略され、第１側面部４５の中間位置に、内方に屈曲した中間屈曲部５６が形成され、第２側面部４６の中間位置に、内方に屈曲した中間屈曲部５７が形成されている。このコーナーポスト４Ｆでは、中間屈曲部５６，５７を形成したことによって、第１側面部４５を２つに分割した分割第１側面部４５Ａの幅寸法ｂｙ４Ｆおよび幅寸法ｂｙ５Ｆは、図２で示した第１側面部４５の幅寸法ｂｙ１より小さく、第２側面部４６を２つに分割した分割第２側面部４６Ａの幅寸法ｂｘ４Ｆおよび幅寸法ｂｘ５Ｆは、図２で示した第２側面部４６の幅寸法ｂｘ１より小さい。すなわち、コーナーポスト４Ｆにおいても、分割第１側面部４５Ａの幅寸法ｂｙ４Ｆ，ｂｙ５Ｆ、分割第２側面部４６Ａの幅寸法ｂｘ４Ｆ，ｂｘ５Ｆは、いずれも式（１）を満足する。
【００３８】
次に、本発明を適用した貨物用コンテナ１におけるコーナーフィッティングの変形例について図９に基づいて説明する。ここで、図９には、前記コーナーポスト４Ａを採用した場合の変形例に係るコーナーフィッティング５Ａが示されている。
コーナーフィッティング５Ａの外側の３つの角部には、コーナーポスト４Ａにおける先端角部４０に形成した傾斜側面部４７の形状に沿って面取り部５Ｂが形成され、第３角部４０Ａに形成した傾斜面取り部４８の形状に沿って、面取り部５Ｃが形成され、第４角部４０Ｂに形成した傾斜面取り部４９の形状に沿って、面取り部５Ｄが形成されている。このようにコーナーフィッティング５Ａに、コーナーポスト４Ａの形状に対応した面取り部５Ｂ，５Ｃ，５Ｄを形成することで、コーナーフィッティング５Ａ自体も軽量化でき、貨物用コンテナ１全体の軽量化を促進させることができる。
ここで、図３に示したコーナーポスト４Ａを用いて、コーナーフィッティング５Ａに面取り部が形成された構成を示したが、図２，図４から図８のコーナーフィッティング５に面取り部を形成することも可能である。
【実施例】
【００３９】
以下、本発明を適用した貨物用コンテナ１について、コーナーポストの部材耐力を検討した結果について説明する。
ここでは、本発明を適用した貨物用コンテナ１を実施例とし、従来形態のコーナーポストを有する貨物用コンテナを比較例とし、各コンテナのＦＥＭ解析を実施してコーナーポストの部材耐力を算出した。なお、ＦＥＭ解析モデルは、各コンテナを平面的に４分割して境界部分に対称条件を設定するとともに、コーナーポストを含む各部材の要素については、局部座屈が考慮できるモデルを用いた。また、解析条件は、ＩＳＯ１４９６−１のＴｅｓｔ  Ｎｏ．１（Ｓｔａｃｋｉｎｇ）の試験荷重条件を参考に、底パレット上に分布荷重を付与した上で、段積みした上段コンテナからの鉛直荷重をコーナーフィッティングに付与し、この鉛直荷重を徐々に増加させた。このときの局部座屈が生じるまでの各部応力と荷重点の鉛直変位とを調べた。【００４０】
〔実施例〕
実施例は、図２に示すコーナーポスト４を用いた。このコーナーポスト４の材料降伏強度Ｆは７００ＭＰａであり、コーナーポスト４の厚みｔは３．６ｍｍである。そして、コーナーポスト４のＸ方向のフィッティング部の幅寸法ｂｘ０は１４９ｍｍであり、Ｙ方向のフィッティング部の幅寸法ｂｙ０は１６８ｍｍであり、第１側面部４５の幅寸法ｂｙ１は１００ｍｍ（幅寸法ｂｙ２が６８ｍｍ）であり、第２側面部４６の幅寸法ｂｘ１は１００ｍｍ（幅寸法ｂｘ２が４９ｍｍ）である。【００４１】
〔比較例〕
比較例は、図１０に示すコーナーポスト４００を用いた他は、実施例と同一の部材を用いた。比較例のコーナーポスト４００の材料降伏強度Ｆは７００ＭＰａであり、コーナーポスト４００の厚みｔは３．６ｍｍである。そして、コーナーポスト４００は、第１接続部４１０、第２接続部４２０、第１突出面部４３０、第２突出面部４４０と、第１側面部４５０、および第２側面部４６０を備えており、平断面が略Ω形状である。傾斜側面部４７が形成されていない点において、コーナーポスト４００は、実施例のコーナーポスト４と相違している。コーナーポスト４００のＸ方向およびＹ方向のフィッティング部の幅寸法ｂｘ０，ｂｙ０は、それぞれ１４９ｍｍ、１６８ｍｍである。各方向でフィッティング部の幅寸法と面部の幅寸法が同等となるため、第１側面部４５０の面部の幅寸法が１６８ｍｍであり、第２側面部４６０の幅寸法が１４９ｍｍである。【００４２】
図１１に実施例の解析結果のミーゼス応力コンター図および変形図を示し、図１２に比較例の解析結果のミーゼス応力コンター図および変形図を示す。また、図１３に実施例および比較例の荷重−変形関係のグラフを示す。
実施例のコーナーポスト４では、図１１に示すように、第１側面部４５や傾斜側面部４７に局部座屈は見られず、図１３に示すように、所定の要求耐力（ＩＳＯに規定される耐力）を超えても安定して耐力が上昇している。
一方、比較例のコーナーポスト４００では、図１２に示すように、第１側面部４５０および第２側面部４６０に局部座屈が発生する。その結果、図１３に示すように、所定の要求耐力に達する前に荷重−変形関係の傾きで表される剛性が著しく低下し、その直後に耐力が急激に下降し、耐力上昇が見込めないことが解った。【００４３】
次に、図２に示すコーナーポスト４の傾斜側面部の形状変化に伴う各面部の幅寸法の変化程度、また、各面部の断面の有効率ρ（有効幅ｂｅ（＝７４０ｔ／（√Ｆ））に対する幅寸法ｂの比）を表１に示す。傾斜側面部４７の投影分の幅寸法ｂｘ２およびｂｙ２を大きくすることで、第２側面部４６の幅寸法ｂｘ１および第１側面部４５の幅寸法ｂｙ１を有効幅ｂｅより小さく抑えることができるが、ｂｘ２およびｂｙ２を大きくし過ぎると、傾斜側面部４７の幅寸法ｂｘｙがｂｅを超え、この有効率が低下することが分かる。
すなわち、各面部の幅寸法に配慮しながら、少なくとも幅寸法が最大の面部において、コーナーポストの厚みｔと、面部の幅寸法ｂと、コーナーポストの材料降伏強度Ｆとの関係が、ｂ≦７４０ｔ／（√Ｆ）の関係を満足するように、面部の幅寸法ｂと厚みｔと材料降伏強度Ｆとを設定する。これにより、圧縮荷重に対する部材耐力を確保しつつ断面積を小さくすることができるため、コーナーポスト自体の軽量化を図り、かつ、耐力を向上させることが可能となる。【００４４】
【表１】
2011030852.tif 000003
【００４５】
本発明は、前記実施形態に限定されるものではなく、本発明の目的を達成できる他の構成等を含み、以下に示すような変形等も本発明に含まれる。
例えば、前記実施形態では、コーナーポストに用いる鋼材の材料降伏強度Ｆとして７００ＭＰａを例に説明したが、材料降伏強度Ｆとしては、７００ＭＰａに限定されるものではない。また、材料降伏強度Ｆは規格強度に限らず、実状の強度に応じて設定することもできる。図２から図１０のコーナーポストの断面図では、コーナーポストの成形加工に伴う折り曲げＲ（通常は板厚中心半径でＲ＝１．５ｔ〜２．５ｔ程度）を省略して図示しているが、折り曲げＲが存在する場合は、Ｒの終始点を起点として面部の幅寸法等の寸法を定めることができる。【００４６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４７】
１  貨物用コンテナ
２  側面パネル
３  前後パネル
４，４Ａ，４Ｂ，４Ｃ，４Ｄ，４Ｅ，４Ｆ  コーナーポスト
５  コーナーフィッティング
６  天面パネル
４０  先端角部
４０Ａ  第３角部
４０Ｂ  第４角部
４０Ｃ  第１角部
４０Ｄ  第２角部
４１  第１接続部
４２  第２接続部
４３  第１突出面部
４３Ａ  傾斜第１突出面部
４４  第２突出面部
４４Ａ  傾斜第２突出面部
４５  第１側面部
４６  第２側面部
４７  傾斜側面部
４８，４９  傾斜面取り部
５０  先端凸状曲面部
５１，５２  凸状面取り部
５３  先端凹状曲面部
５４，５５  凹状面取り部
５６  中間屈曲部
５７  中間屈曲部
【図１】
2011030852.tif 000004
【図２】
2011030852.tif 000005
【図３】
2011030852.tif 000006
【図４】
2011030852.tif 000007
【図５】
2011030852.tif 000008
【図６】
2011030852.tif 000009
【図７】
2011030852.tif 000010
【図８】
2011030852.tif 000011
【図９】
2011030852.tif 000012
【図１０】
2011030852.tif 000013
【図１３】
2011030852.tif 000014
【図１１】
2011030852.tif 000015
【図１２】
2011030852.tif 000016
【手続補正書】
【提出日】平成23年9月5日(2011.9.5)
【手続補正１】
【補正対象書類名】特許請求の範囲
【補正対象項目名】請求項１
【補正方法】変更
【補正の内容】
【請求項１】
矩形状の底パレットと；
この底パレットの４辺に立設された一対の側面パネルおよび一対の前後パネルと；
鋼板が折り曲げ加工されてなり、前記底パレットの隅部に立設され、前記側面パネルの側縁部と前記前後パネルの側縁部との間を接続する複数本のコーナーポストと；
これらのコーナーポストの上端および下端に設けられたコーナーフィッティングと；
前記側面パネルおよび前記前後パネルの上縁部に接続して設けられた天面パネルと；
を備えた貨物用コンテナであって、
前記コーナーポストを平断面視した場合に、
前記側面パネルの側縁部に接続される第１接続部と；
前記前後パネルの側縁部に接続される第２接続部と；
前記第１接続部に連続して、かつ、前記側面パネルの面方向に交差する外方向に突出する第１突出面部と；
前記第２接続部に連続して、かつ、前記前後パネルの面方向に交差する外方向に突出する第２突出面部と；
前記第１突出面部に直接的または間接的に設けられ、前記側面パネルの面方向に延びる第１側面部と；
前記第２突出面部に直接的または間接的に設けられ、前記前後パネルの面方向に延びる第２側面部と；
前記第１側面部および前記第２側面部に連続的に設けられた先端角部と；
で形成される略Ω形状を有し、
前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、
前記第１側面部と、前記第２側面部との幅寸法のうち、少なくとも最大の幅寸法ｂと、前記コーナーポストの厚みｔと、コーナーポストの材料降伏強度Ｆとの関係が、ｂ≦７４０ｔ／（√Ｆ）を満足する
ことを特徴とする貨物用コンテナ。
【手続補正２】
【補正対象書類名】明細書
【補正対象項目名】０００７
【補正方法】変更
【補正の内容】
【０００７】
（１）本発明の一態様に係る貨物用コンテナは、矩形状の底パレットと；この底パレットの４辺に立設された一対の側面パネルおよび一対の前後パネルと；鋼板が折り曲げ加工されてなり、前記底パレットの隅部に立設され、前記側面パネルの側縁部と前記前後パネルの側縁部との間を接続する複数本のコーナーポストと；これらのコーナーポストの上端および下端に設けられたコーナーフィッティングと；前記側面パネルおよび前記前後パネルの上縁部に接続して設けられた天面パネルと；を備えた貨物用コンテナであって、前記コーナーポストを平断面視した場合に、前記側面パネルの側縁部に接続される第１接続部と；前記前後パネルの側縁部に接続される第２接続部と；前記第１接続部に連続して、かつ、前記側面パネルの面方向に交差する外方向に突出する第１突出面部と；前記第２接続部に連続して、かつ、前記前後パネルの面方向に交差する外方向に突出する第２突出面部と；前記第１突出面部に直接的または間接的に設けられ、前記側面パネルの面方向に延びる第１側面部と；前記第２突出面部に直接的または間接的に設けられ、前記前後パネルの面方向に延びる第２側面部と；前記第１側面部および前記第２側面部に連続的に設けられた先端角部と；で形成される略Ω形状を有し、前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、前記第１側面部と、前記第２側面部との幅寸法うち、少なくとも最大の幅寸法ｂと、前記コーナーポストの厚みｔと、コーナーポストの材料降伏強度Ｆとの関係が、ｂ≦７４０ｔ／（√Ｆ）を満足する。
【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
矩形状の底パレットと；
前記底パレットの４辺に立設された一対の側面パネルおよび一対の前後パネルと；
鋼板が折り曲げ加工されてなり、前記底パレットの隅部に立設され、前記側面パネルの側縁部と前記前後パネルの側縁部との間を接続する複数本のコーナーポストと；
これらの前記コーナーポストの上端および下端に設けられたコーナーフィッティングと；
前記側面パネルおよび前記前後パネルの上縁部に接続して設けられた天面パネルと；
を備えた貨物用コンテナであって、
前記コーナーポストを平断面視した場合に、
前記側面パネルの側縁部に接続される第１接続部と；
前記前後パネルの側縁部に接続される第２接続部と；
前記第１接続部に連続して、かつ、前記側面パネルの面方向に交差する外方向に突出する第１突出面部と；
前記第２接続部に連続して、かつ、前記前後パネルの面方向に交差する外方向に突出する第２突出面部と；
前記第１突出面部に直接的または間接的に設けられ、前記側面パネルの面方向に延びる第１側面部と；
前記第２突出面部に直接的または間接的に設けられ、前記前後パネルの面方向に延びる第２側面部と；
前記第１側面部および前記第２側面部に連続的に設けられた先端角部と；
で形成される略Ω形状を有し、
前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、
前記第１側面部と、前記第２側面部との幅寸法のうち、少なくとも最大の幅寸法ｂと、前記コーナーポストの厚みｔと、コーナーポストの材料降伏強度Ｆとの関係が、ｂ≦７４０ｔ／（√Ｆ）を満足する
ことを特徴とする貨物用コンテナ。
【請求項２】
前記先端角部に、前記第１側面部および前記第２側面部の双方に交差して連続する傾斜側面部が設けられ；
前記傾斜側面部、前記第１側面部および前記第２側面部の幅寸法のうち、少なくとも最大の幅寸法ｂと、前記コーナーポストの厚みｔと、コーナーポストの材料降伏強度Ｆとの関係が、ｂ≦７４０ｔ／（√Ｆ）を満足する；
ことを特徴とする請求項１に記載の貨物用コンテナ。
【請求項３】
前記傾斜側面部の形状に沿って前記コーナーフィッティングの角部に面取り部が形成されていることを特徴とする請求項２に記載の貨物用コンテナ。
【請求項４】
前記先端角部に、外方に向かう凸曲面で形成される先端凸状曲面部、または内方に向かう凹曲面で形成される先端凹状曲面部が設けられていることを特徴とする請求項１に記載の貨物用コンテナ。
【請求項５】
前記先端凸状曲面部または先端凹状曲面部の形状に沿って前記コーナーフィッティングの角部に面取り部が形成されていることを特徴とする請求項４に記載の貨物用コンテナ。
【請求項６】
前記第１突出面部と第１側面部とが連続する第３角部と、前記第２突出面部と第２側面部とが連続する第４角部とのうち、少なくとも一方の角部に、
この角部を傾斜面で面取りした傾斜面取り部、前記角部を外方に向かう凸曲面で面取りした凸状面取り部、および前記角部を内方に向かう凹曲面で面取りした凹状面取り部のうちのいずれか１つが形成されている
ことを特徴とする請求項１から請求項５のいずれか１項に記載の貨物用コンテナ。
【請求項７】
前記傾斜面取り部、前記凸状面取り部または前記凹状面取り部の形状に沿って、前記コーナーフィッティングの角部に面取り部が形成されていることを特徴とする請求項６に記載の貨物用コンテナ。
【請求項８】
前記第１突出面部が、前記第１接続部から外方かつ前記先端部に向かって傾斜して突出する傾斜第１突出面部とされ；
前記第２突出面部が、前記第２接続部から外方かつ前記先端部に向かって傾斜して突出する傾斜第２突出面部とされている；
ことを特徴とする請求項１に記載の貨物用コンテナ。
【請求項９】
前記傾斜第１突出面部および傾斜第２突出面部の形状に沿って前記コーナーフィッティングの角部に面取り部が形成されていることを特徴とする請求項８に記載の貨物用コンテナ。
【請求項１０】
前記第１側面部および第２側面部に、各々の中間位置にて内方に向かう凹曲面または内方に向かう屈折面で形成される中間屈曲部が設けられていることを特徴とする請求項１に記載の貨物用コンテナ。
【手続補正２】
【補正対象書類名】明細書
【補正対象項目名】０００７
【補正方法】変更
【補正の内容】
【０００７】
（１）本発明の一態様に係る貨物用コンテナは、矩形状の底パレットと；前記底パレットの４辺に立設された一対の側面パネルおよび一対の前後パネルと；鋼板が折り曲げ加工されてなり、前記底パレットの隅部に立設され、前記側面パネルの側縁部と前記前後パネルの側縁部との間を接続する複数本のコーナーポストと；これらの前記コーナーポストの上端および下端に設けられたコーナーフィッティングと；前記側面パネルおよび前記前後パネルの上縁部に接続して設けられた天面パネルと；を備えた貨物用コンテナであって、前記コーナーポストを平断面視した場合に、前記側面パネルの側縁部に接続される第１接続部と；前記前後パネルの側縁部に接続される第２接続部と；前記第１接続部に連続して、かつ、前記側面パネルの面方向に交差する外方向に突出する第１突出面部と；前記第２接続部に連続して、かつ、前記前後パネルの面方向に交差する外方向に突出する第２突出面部と；前記第１突出面部に直接的または間接的に設けられ、前記側面パネルの面方向に延びる第１側面部と；前記第２突出面部に直接的または間接的に設けられ、前記前後パネルの面方向に延びる第２側面部と；前記第１側面部および前記第２側面部に連続的に設けられた先端角部と；で形成される略Ω形状を有し、前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、前記第１側面部と、前記第２側面部との幅寸法うち、少なくとも最大の幅寸法ｂと、前記コーナーポストの厚みｔと、コーナーポストの材料降伏強度Ｆとの関係が、ｂ≦７４０ｔ／（√Ｆ）を満足する。
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
矩形状の底パレットと；
前記底パレットの４辺に立設された一対の側面パネルおよび一対の前後パネルと；
板厚３〜５ｍｍの鋼板が折り曲げ加工されてなり、前記底パレットの隅部に立設され、前記側面パネルの側縁部と前記前後パネルの側縁部との間を接続する複数本のコーナーポストと；
これらの前記コーナーポストの上端および下端に設けられ、平面視形状が矩形であるコーナーフィッティングと；
前記側面パネルおよび前記前後パネルの上縁部に接続して設けられた天面パネルと；
を備えた貨物用コンテナであって、
前記コーナーポストを平断面視した場合に、
前記側面パネルの側縁部に接続される第１接続部と；
前記前後パネルの側縁部に接続される第２接続部と；
前記第１接続部に連続して、かつ、前記側面パネルの面方向に交差する外方向に突出し、前記コーナーフィッティングの第１の辺に沿う第１突出面部と；
前記第２接続部に連続して、かつ、前記前後パネルの面方向に交差する外方向に突出し、前記コーナーフィッティングの第２の辺に沿う第２突出面部と；
前記第１突出面部に直接的に設けられ、前記側面パネルの面方向に延び、前記コーナーフィッティングの前記第１の辺と角部を介して接する第３の辺に沿う第１側面部と；
前記第２突出面部に直接的に設けられ、前記前後パネルの面方向に延び、前記コーナーフィッティングの前記第２の辺と角部を介して接する第４の辺に沿う第２側面部と；
前記第１側面部および前記第２側面部に連続的に設けられ、前記第３の辺と前記第４の辺との角部に隣接する先端角部と；
で形成される開断面形状を有し、
前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、
前記先端角部に、前記第１側面部および前記第２側面部の双方に交差して連続する傾斜側面部が設けられ；
前記傾斜側面部、前記第１側面部および前記第２側面部の幅寸法のうち、少なくとも最大の幅寸法ｂと、前記コーナーポストの厚みｔと、コーナーポストの材料降伏強度Ｆとの関係が、ｂ＜７４０ｔ／（√Ｆ）を満足する；
ことを特徴とする貨物用コンテナ。
【請求項２】
前記傾斜側面部の形状に沿って前記コーナーフィッティングの角部に面取り部が形成されていることを特徴とする請求項１に記載の貨物用コンテナ。
【手続補正２】
【補正対象書類名】明細書
【補正対象項目名】０００７
【補正方法】変更
【補正の内容】
【０００７】
（１）本発明の一態様に係る貨物用コンテナは、矩形状の底パレットと；前記底パレットの４辺に立設された一対の側面パネルおよび一対の前後パネルと；板厚３〜５ｍｍの鋼板が折り曲げ加工されてなり、前記底パレットの隅部に立設され、前記側面パネルの側縁部と前記前後パネルの側縁部との間を接続する複数本のコーナーポストと；これらの前記コーナーポストの上端および下端に設けられ、平面視形状が矩形であるコーナーフィッティングと；前記側面パネルおよび前記前後パネルの上縁部に接続して設けられた天面パネルと；を備えた貨物用コンテナであって、前記コーナーポストを平断面視した場合に、前記側面パネルの側縁部に接続される第１接続部と；前記前後パネルの側縁部に接続される第２接続部と；前記第１接続部に連続して、かつ、前記側面パネルの面方向に交差する外方向に突出し、前記コーナーフィッティングの第１の辺に沿う第１突出面部と；前記第２接続部に連続して、かつ、前記前後パネルの面方向に交差する外方向に突出し、前記コーナーフィッティングの第２の辺に沿う第２突出面部と；前記第１突出面部に直接的に設けられ、前記側面パネルの面方向に延び、前記コーナーフィッティングの前記第１の辺と角部を介して接する第３の辺に沿う第１側面部と；前記第２突出面部に直接的に設けられ、前記前後パネルの面方向に延び、前記コーナーフィッティングの前記第２の辺と角部を介して接する第４の辺に沿う第２側面部と；前記第１側面部および前記第２側面部に連続的に設けられ、前記第３の辺と前記第４の辺との角部に隣接する先端角部と；形成される開断面形状（以下、略Ω形状という場合がある）を有し、前記第１接続部と前記第１突出面部とが連続する第１角部から前記第２側面部までの前記第２側面部に対する鉛直方向の幅寸法と、前記第２接続部と前記第２突出面部とが連続する第２角部から第１側面部までの前記第１側面部に対する鉛直方向の幅寸法とのうち、少なくとも最小の幅寸法ｂ０と、前記コーナーポストの厚みｔと、コーナーポストの材料降伏強度Ｆとの関係が、ｂ０＞７４０ｔ／（√Ｆ）を満足し、かつ、前記先端角部に、前記第１側面部および前記第２側面部の双方に交差して連続する傾斜側面部が設けられ；前記傾斜側面部、前記第１側面部および前記第２側面部の幅寸法のうち、少なくとも最大の幅寸法ｂと、前記コーナーポストの厚みｔと、コーナーポストの材料降伏強度Ｆとの関係が、ｂ＜７４０ｔ／（√Ｆ）を満足する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（２）本発明の貨物コンテナにおいて、前記傾斜側面部の形状に沿って前記コーナーフィッティングの角部に面取り部が形成されていてもよい。
【手続補正５】
【補正対象書類名】明細書
【補正対象項目名】００１０
【補正方法】変更
【補正の内容】
【００１０】
（３）本発明の貨物コンテナにおいて、前記先端角部に、外方に向かう凸曲面で形成される先端凸状曲面部、または内方に向かう凹曲面で形成される先端凹状曲面部が設けられていてもよい。
（４）本発明の貨物コンテナにおいては、前記先端凸状曲面部または先端凹状曲面部の形状に沿って前記コーナーフィッティングの角部に面取り部が形成されていることが好ましい。
【手続補正６】
【補正対象書類名】明細書
【補正対象項目名】００１１
【補正方法】変更
【補正の内容】
【００１１】
（５）本発明の貨物コンテナにおいて、前記第１突出面部と第１側面部とが連続する第３角部と、前記第２突出面部と第２側面部とが連続する第４角部とのうち、少なくとも一方の角部に、この角部を傾斜面で面取りした傾斜面取り部、前記角部を外方に向かう凸曲面で面取りした凸状面取り部、および前記角部を内方に向かう凹曲面で面取りした凹状面取り部のうちのいずれか１つが形成されていてもよい。
（６）本発明の貨物コンテナにおいて、前記傾斜面取り部、前記凸状面取り部または前記凹状面取り部の形状に沿って、前記コーナーフィッティングの角部に面取り部が形成されていてもよい。
【手続補正７】
【補正対象書類名】明細書
【補正対象項目名】００１２
【補正方法】変更
【補正の内容】
【００１２】
（７）本発明の貨物コンテナにおいて、前記第１突出面部が、前記第１接続部から外方かつ前記先端部に向かって傾斜して突出する傾斜第１突出面部とされ；前記第２突出面部が、前記第２接続部から外方かつ前記先端部に向かって傾斜して突出する傾斜第２突出面部とされていてもよい。
（８）本発明の貨物コンテナにおいて、前記傾斜第１突出面部および傾斜第２突出面部の形状に沿って前記コーナーフィッティングの角部に面取り部が形成されていてもよい。
【手続補正８】
【補正対象書類名】明細書
【補正対象項目名】００１３
【補正方法】変更
【補正の内容】
【００１３】
本発明の貨物コンテナにおいて、前記第１側面部および第２側面部に、各々の中間位置にて内方に向かう凹曲面または内方に向かう屈折面で形成される中間屈曲部が設けられていてもよい。
【手続補正９】
【補正対象書類名】明細書
【補正対象項目名】００１４
【補正方法】変更
【補正の内容】
【００１４】
上記（１）に記載の貨物コンテナによれば、コーナーポストの材料強度を強くし、コーナーポストの厚みを薄くすることにより、コーナーポストの幅寸法ｂ０が７４０ｔ／（√Ｆ）より大きくなり、板要素の座屈が懸念されるコーナーポストにおいても、各面部の幅寸法ｂを７４０ｔ／（√Ｆ）より小さくなるように設定することで板要素の座屈を抑え、圧縮荷重に対する部材耐力を確保しつつ断面積を小さくすることができる。この結果、コーナーポスト自体の軽量化を図ることが可能となる。ｂe＝７４０ｔ／（√Ｆ）は面内圧縮力を受ける板要素の有効幅ｂeを表す式であり、ｂ＜ｂeであれば、圧縮力に対して板要素に局部座屈に伴う無効部分が生じず、断面の有効率を低下させることなく、効率的に軽量化を図ることが可能となる。
コーナーポストの厚みを薄くすることにより、コーナーポスト自体の軽量化を図ることが可能となり、貨物用コンテナ全体の軽量化にもつながり、温室効果ガスの排出量を削減することができ、ひいては地球環境保護の観点からも好適な構成とすることが可能となる。さらに、コーナーポストの断面積を小さくすることにより材料コストの低減にも寄与し、さらに表面積も小さくなるために塗装にかかるコストの低減にも寄与することになる。
【手続補正１０】
【補正対象書類名】明細書
【補正対象項目名】００１５
【補正方法】変更
【補正の内容】
【００１５】
ところで、コーナーポストの断面積を小さくする場合、コーナーポストの厚みを一定として上記幅寸法ｂ０を小さくすることが考えられるが、このようにコーナーポスト自体の幅寸法ｂ０を小さくしてしまうと、コーナーポストと、コーナーフィッティングとの接合部や各側面、前後パネルとの収まりが変わってしまったり、国際規格の外形サイズから外れて輸送時の互換性や利便性が損なわれたりするなどの不都合が生じる。
一方、コーナーポスト自体の外形をさほど変更せずに断面積を小さくする手段として、コーナーポストの厚みを小さくした場合には、コーナーポストの各面部の幅寸法ｂに対して厚みｔが小さくなる、つまり幅厚比（ｂ／ｔ）が大きくなる。これにより、局部座屈の問題が生じ、段積み時の圧縮荷重に対する性能が満足できないという問題が生じる。
そこで、コーナーポストにおける第１側面部および第２側面部の幅寸法うち、少なくとも最大の幅寸法ｂと、コーナーポストの厚みｔと、材料降伏強度Ｆとの関係が、ｂ＜７４０ｔ／（√Ｆ）（以下、式（１）と呼ぶ）の関係を満足するように、厚みｔおよび面部の幅寸法ｂを設定する。これにより、局部座屈を防止することができ、段積み時の圧縮荷重に対する要求性能を満足することができる。
【手続補正１１】
【補正対象書類名】明細書
【補正対象項目名】００１６
【補正方法】変更
【補正の内容】
【００１６】
また、上記（１）に記載の貨物コンテナによれば、先端角部に第１側面部および第２側面部の双方に交差して連続する傾斜側面部を設けることで、この傾斜側面部の投影寸法分だけ第１側面部および第２側面部の幅寸法ｂを小さくできる。これにより第１側面部および第２側面部の幅厚比（ｂ／ｔ）を小さくすることができる。そして、傾斜側面部においても、ｂ＜７４０ｔ／（√Ｆ）の関係を満足するように、コーナーポストの厚みｔおよび各面部の幅寸法ｂを設定することで、局部座屈を防止することができ、コーナーポスト全体の圧縮荷重に対する要求性能が確保できる。
【手続補正１２】
【補正対象書類名】明細書
【補正対象項目名】００１７
【補正方法】変更
【補正の内容】
【００１７】
上記（２）に記載の貨物コンテナによれば、コーナーフィッティングに面取り部が形成されているため、コーナーポストの断面積が小さくなる。これにより、コーナーフィッティング自体も軽量化でき、貨物用コンテナ全体の軽量化を促進させることができる。
【手続補正１３】
【補正対象書類名】明細書
【補正対象項目名】００１８
【補正方法】変更
【補正の内容】
【００１８】
上記（３）に記載の貨物コンテナによれば、先端角部に先端凸状曲面部または先端凹状曲面部を設けることで、第１側面部および第２側面部の幅寸法ｂを小さくすることができる。これにより、第１側面部および第２側面部の幅厚比（ｂ／ｔ）の増大を抑制し、局部座屈を防止することができ、コーナーポスト全体の圧縮荷重に対する要求性能が確保できる。
上記（４）に記載の貨物コンテナによれば、コーナーフィッティングに面取り部が形成されているため、コーナーフィッティングの断面積が小さくなる。これにより、コーナーフィッティング自体も軽量化でき、貨物用コンテナ全体の軽量化を促進させることができる。
【手続補正１４】
【補正対象書類名】明細書
【補正対象項目名】００１９
【補正方法】変更
【補正の内容】
【００１９】
上記（５）に記載の貨物コンテナによれば、先端角部以外の角部である第３角部や第４角部において、傾斜面取り部や凸状面取り部、凹状面取り部を設けることで、第１側面部および第２側面部の幅寸法ｂを小さくすることができる。これにより、第１側面部および第２側面部の幅厚比（ｂ／ｔ）をさらに抑制することができる。ここで、傾斜面取り部としては、その厚みおよび面部の幅寸法と材料降伏強度との関係が前記式（１）を満足することは当然である。
上記（６）に記載の貨物コンテナによれば、コーナーフィッティングに面取り部が形成されているため、コーナーフィッティングの断面積が小さくなる。これにより、コーナーフィッティング自体も軽量化でき、貨物用コンテナ全体の軽量化を促進させることができる。
【手続補正１５】
【補正対象書類名】明細書
【補正対象項目名】００２０
【補正方法】変更
【補正の内容】
【００２０】
上記（７）に記載の貨物コンテナによれば、第１突出面部および第２突出面部をそれぞれ傾斜第１突出面部および傾斜第２突出面部とすることで、これらの傾斜分だけ第１側面部および第２側面部の幅寸法ｂを小さくできる。これによっても第１側面部および第２側面部の幅厚比（ｂ／ｔ）を小さくできる。この場合においても、傾斜第１突出面部および傾斜第２突出面部の厚みｔおよび幅寸法ｂと材料降伏強度Ｆとの関係が前記式（１）を満足する。
上記（８）に記載の貨物コンテナによれば、コーナーフィッティングに面取り部が形成されているため、コーナーフィッティングの断面積が小さくなる。これにより、コーナーフィッティング自体も軽量化でき、貨物用コンテナ全体の軽量化を促進させることができる。
【手続補正１６】
【補正対象書類名】明細書
【補正対象項目名】００２１
【補正方法】変更
【補正の内容】
【００２１】
上記（９）に記載の貨物コンテナによれば、中間屈曲部によって第１側面部および第２側面部を左右に分割することで、分割された各側面部の幅寸法ｂを小さくできる。これによっても第１側面部および第２側面部の幅厚比（ｂ／ｔ）が小さくなるので、局部座屈強度を高めることができる。
【手続補正１７】
【補正対象書類名】明細書
【補正対象項目名】００３１
【補正方法】変更
【補正の内容】
【００３１】
ここで、各幅寸法ｂｘ０，ｂｙ０の設定の一例として、材料降伏強度Ｆが７００ＭＰａであり、コーナーポスト４の厚みｔが３．６ｍｍである場合、Ｘ方向のフィッティング部幅寸法ｂｘ０が約１４９ｍｍであり、Ｙ方向のフィッティング部幅寸法ｂｙ０が約１６８ｍｍであり、これらのフィッティング部幅寸法ｂ０（ｂｘ０，ｂｙ０）は、以下の式（０）の関係を満たす。
ｂ０＞７４０ｔ／（√Ｆ）  …（０）
また、第１側面部４５の幅寸法ｂｙ１が１００ｍｍで、傾斜側面部４７の投影分の幅寸法ｂｙ２が６８ｍｍに設定され、第２側面部４６の幅寸法ｂｘ１が１００ｍｍで、傾斜側面部４７の投影分の幅寸法ｂｘ２が４９ｍｍに設定されている。従って、傾斜側面部４７の幅寸法ｂｘｙは、約８３．８ｍｍに設定されている。このような面部の幅寸法ｂ（ｂｘ１，ｂｙ１，ｂｘｙ）のうち最大の幅寸法ｂと、コーナーポスト４の厚みｔと、コーナーポスト４の材料降伏強度Ｆとの関係は、以下の式（１）を満足する。
ｂ＜７４０ｔ／（√Ｆ）  …（１）
従って、材料降伏強度Ｆが７００ＭＰａであり、厚みｔが３．６ｍｍである場合、幅寸法ｂ（ｂｘ１，ｂｙ１，ｂｘｙ）としては、式（１）の右辺の計算値である１００．７ｍｍより小さければよい。ここで、前記一例の第１側面部４５の幅寸法ｂｙ１および第２側面部４６の幅寸法ｂｘ１、傾斜側面部４７の幅寸法ｂｘｙは、いずれも１００．７ｍｍより小さく、式（１）を満足する。
【手続補正１８】
【補正対象書類名】明細書
【補正対象項目名】００４３
【補正方法】変更
【補正の内容】
【００４３】
次に、図２に示すコーナーポスト４の傾斜側面部の形状変化に伴う各面部の幅寸法の変化程度、また、各面部の断面の有効率ρ（有効幅ｂｅ（＝７４０ｔ／（√Ｆ））に対する幅寸法ｂの比）を表１に示す。傾斜側面部４７の投影分の幅寸法ｂｘ２およびｂｙ２を大きくすることで、第２側面部４６の幅寸法ｂｘ１および第１側面部４５の幅寸法ｂｙ１を有効幅ｂｅより小さく抑えることができるが、ｂｘ２およびｂｙ２を大きくし過ぎると、傾斜側面部４７の幅寸法ｂｘｙがｂｅを超え、この有効率が低下することが分かる。
すなわち、各面部の幅寸法に配慮しながら、少なくとも幅寸法が最大の面部において、コーナーポストの厚みｔと、面部の幅寸法ｂと、コーナーポストの材料降伏強度Ｆとの関係が、ｂ＜７４０ｔ／（√Ｆ）の関係を満足するように、面部の幅寸法ｂと厚みｔと材料降伏強度Ｆとを設定する。これにより、圧縮荷重に対する部材耐力を確保しつつ断面積を小さくすることができるため、コーナーポスト自体の軽量化を図り、かつ、耐力を向上させることが可能となる。
【国際調査報告】
2011030852.tif 000017
2011030852.tif 000018
2011030852.tif 000019
2011030852.tif 000020